(57)【要約】  【課題】  蒸発促進体を加湿皿に出し入れさせるようにして充分に吸水し、且つ吸水した蒸発促進体で空気通路の一部を構成することにより、加湿効果を更に高めるようにした温風暖房機を提供する。  【解決手段】  吸込口１と温風吹出口２とを結ぶ空気通路に設けられた送風ファン３と、熱交換器４と、前記空気通路の裏面に設けられ、温風により蒸発させる加湿水７を貯留する加湿皿８と、同加湿皿８に付設された蒸発促進体９とを含み、前記蒸発促進体９が、前記加湿水７を含む蒸発促進部材9dを収容し、前記加湿皿８から前記空気通路側に移動可能な挿通孔9bを有する蓋体9cでカバーされた蒸発容器9eからなる構成にした。【選択図】  図１
2006145181.tif 000002
【特許請求の範囲】
【請求項１】
吸込口と温風吹出口とを結ぶ空気通路に設けられた送風ファンと、熱交換器と、前記空気通路の裏面に設けられ、温風により蒸発させる加湿水を貯留する加湿皿と、同加湿皿に付設された蒸発促進体とを含み、
前記蒸発促進体が、前記加湿水を含む蒸発促進部材を収容し、前記加湿皿から前記空気通路側に移動可能な挿通孔を有する蓋体でカバーされた蒸発容器からなることを特徴とする温風暖房機。
【請求項２】
前記温風吹出口に、同温風吹出口を開閉するシャッターが設けられ、同シャッターと前記蒸発促進体とが連動可能に連係されてなることを特徴とする請求項１に記載の温風暖房機。
【発明の詳細な説明】
【技術分野】
【０００１】
本発明は、加湿機能を備えた温風暖房機に係わり、より詳細には、加湿効果を高めることができるようにした蒸発促進体の構造に関する。
【背景技術】
【０００２】
従来の温風暖房機として、加湿皿と加湿水に一部分が浸される蒸発促進体とを備え、気化した水蒸気とを混合して室内を加湿するように構成されてなるものが開示されていた（例えば、特許文献１参照。）。
【０００３】
また、安全で操作性のよいものとして、運転スイッチをオンすることにより自動的にシャッターが移動して温風吹出口を開放するように構成されてなるものが開示されていた（例えば、特許文献２参照。）。
【０００４】
しかしながら、上記した特許文献１および特許文献２に開示された温風暖房機においては、それぞれ独自に発明されたものであることから、蒸発促進体を加湿皿の中に出し入れさせるようにして充分に吸水し、且つ加湿水を含む蒸発促進体で空気通路の一部を構成することにより、加湿の機能を更に高めるようにすることを示唆した記載はなく、また、シャッターと蒸発促進体とを連動させるような構成は開示されておらず、例えば、これらシャッターと蒸発促進体とを共通の駆動装置によって連動させるようにして、シャッターで温風吹出口を開閉して外観性や防塵性を高めるようにした記載はなかった。
【０００５】
【特許文献１】特開２００３−２６９８０１号公報（第１頁〜第６頁、第１図〜第４図）
【特許文献２】特開平０５−２２３３４８号公報（第１頁〜第１４頁、第１図〜第２図）
【発明の開示】
【発明が解決しようとする課題】
【０００６】
本発明は上記問題点に鑑み、蒸発促進体を加湿皿に出し入れさせるようにして充分に吸水し、且つ吸水した蒸発促進体で空気通路の一部を構成することにより、加湿効果を更に高めるようにした温風暖房機を提供することを目的とする。
【課題を解決するための手段】
【０００７】
本発明は上記課題を解決するため、吸込口と温風吹出口とを結ぶ空気通路に設けられた送風ファンと、熱交換器と、前記空気通路の裏面に設けられ、温風により蒸発させる加湿水を貯留する加湿皿と、同加湿皿に付設された蒸発促進体とを含み、
前記蒸発促進体が、前記加湿水を含む蒸発促進部材を収容し、前記加湿皿から前記空気通路側に移動可能な挿通孔を有する蓋体でカバーされた蒸発容器からなる構成となっている。
【０００８】
また、前記温風吹出口に、同温風吹出口を開閉するシャッターが設けられ、同シャッターと前記蒸発促進体とが連動可能に連係されてなる構成となっている。
【発明の効果】
【０００９】
本発明によれば、蒸発促進体が、加湿水を含む蒸発促進部材を収容し、加湿皿から空気通路の一部をなす位置に移動可能な蒸発容器からなる構成にしたので、加湿効果を高めることができるようになる。
【００１０】
また、温風吹出口を開閉するシャッターを設け、同シャッターと蒸発促進体とを連動可能に連係したので、温風吹出口の閉塞時にはゴミの侵入を防止できると共に、蒸発促進体のほぼ全体を加湿水に浸すようにして充分に吸水し、且つ加湿時には温風吹出口を開放して加湿水を含む蒸発促進体で空気通路の一部を構成でき、加湿効果を高めることができる。
【発明を実施するための最良の形態】
【００１１】
以下、本発明の実施の形態を、添付図面に基づいた実施例として詳細に説明する。
図１は本発明による温風暖房機の運転時の状態を示す断面図であり、図２は本発明による温風暖房機の停止時の状態を示す断面図であり、図３は本発明による温風暖房機の運転時の状態を示す要部斜視図であり、図４は本発明による温風暖房機の一実施例を示す要部説明図で、（Ａ）は駆動装置の斜視図、（Ｂ）は駆動装置の側面図であり、図５は本発明による温風暖房機の他の実施例を示す要部断面図である。
【実施例１】
【００１２】
本発明による温風暖房機は、図に示すように、室内空気を吸い込む吸込口１と、温風を吹き出す温風吹出口２とを結ぶ空気通路に、送風ファン３と熱交換器４とを設け、運転スイッチ５をＯＮすることによって前記熱交換器４で熱交換された温風が室内に吹き出されるようになっている。
【００１３】
前記温風吹出口２には、同温風吹出口２を開閉するためのシャッター６が設けられている。また、前記温風吹出口２に連なる空気通路の裏面に、同空気通路を流通する温風によって蒸発させる加湿水７を貯留するための加湿皿８が設けられており、同加湿皿８には、前記加湿水７の蒸発を促進させるための蒸発促進体９が支軸部9aによって回動（移動）可能に軸支されている。
【００１４】
前記蒸発促進体９は、前記加湿水７を含む蒸発促進部材9dを収容して、前記加湿皿８の内部から前記空気通路の一部をなす位置に移動可能な蒸発容器9eからなり、前記蒸発促進部材9dを収容したのち、多数の挿通孔9bを備えた蓋体9cによってカバーされる構成になっており、前記加湿皿８の内部から移動した際、この蓋体9cによって前記空気通路の一部をなすように面一状態に連続させるようになっている。
【００１５】
前記加湿皿８内の加湿水７は、図２に示すように前記蒸発促進体９が下方に回動（移動）した際、前記蓋体9cに備えた多数の挿通孔9bから前記蒸発容器9eに流入して前記蒸発促進部材9dに吸水され、また、同蒸発促進部材9dに吸水されたのち、図１および図３に示すように前記蒸発促進体９が上方に回動（移動）して前記空気通路の一部を構成した際、前記空気通路を流通して前記温風吹出口２に送出される温風により前記多数の挿通孔9bを通して蒸発するようになっている。
【００１６】
その際、前記蒸発容器9eには、前記蒸発促進部材9dが収容されると共に、同蒸発促進部材9dにより吸水される前記加湿水７が満たされているので効果的に加湿できるようになる。
また、温風による蒸発を促進させて加湿性能を更に高めるため、前記蒸発促進体９の一部を前記空気通路側に突出するように構成してもよい。
【００１７】
なお、前記蒸発促進体９は、例えば加湿運転の継続中に前記蒸発容器9e内の加湿水７がなくなった時、図２に示すように下方に回動（移動）して、同蒸発容器9e内に加湿水７を流入させたのち、図１に示すように上方に回動（移動）すればよく、また、部屋の湿度が適正であって加湿の必要がないような場合は、前記蒸発容器9e内の加湿水７がなくなった時、前記蒸発促進体９を下方に回動（移動）させないようにすればよい。
【００１８】
次に、前記温風吹出口２に、同温風吹出口２を開閉するシャッター６が設けられ、同シャッター６と前記蒸発促進体９とが連動可能に連係された構成について説明する。
【００１９】
前記蒸発促進体９は、前記シャッター６が上下にスライドするのに連動して回動（移動）するように構成してもよく、加湿時には、図１に示すように、前記温風吹出口２に連なる空気通路の一部を構成することによって前記加湿水７の蒸発を促進するようになり、停止時には、図２に示すように、前記加湿皿８内の加湿水７が前記蓋体9cに備えた多数の挿通孔9bから前記蒸発容器9eに流入して前記蒸発促進部材9dに吸水されるようになる。
【００２０】
これによって、停止時には、前記温風吹出口２を閉塞することによって外観性を損なうことがないようになると共に、前記温風吹出口２から内部にホコリが侵入しなくなるという効果を奏するようになり、また上記説明のとおり、前記蒸発促進部材9dが前記加湿水７を充分に吸水することになる。
【００２１】
そして、前記運転スイッチ５をＯＮして加湿運転を行なうことにより、前記シャッター６が上方にスライドし、且つ前記蒸発促進体９が、前記蓋体9cによって前記空気通路の一部を構成するように前記支軸部9aを中心に回動することで、前記熱交換器４で熱交換され前記温風吹出口２に送出される温風によって前記加湿水７が蒸発し、室内を湿った温風で空気調和できるようになる。
【００２２】
前記蒸発促進部材9dは、スポンジ状の部材からなる構成にすることで吸水性が良好になり、また、前記空気通路を流通する温風によって前記加湿水７を効果的に蒸発させることができるようになる。
【００２３】
また、前記蒸発促進部材9dは、前記蓋体9cに備えた多数の挿通孔9bに連通させて、図３に示すような多数の穴9b' が設けられることによって、前記加湿水７の蒸発を更に効果的に促進できるようになる。
【００２４】
なお、前記蓋体9cは、前記加湿水７を含む蒸発促進部材9dを収容した前記蒸発容器9eをカバーして、前記蒸発促進体９といっしょに回動（移動）するように構成されているが、前記空気通路の一部をなす位置に取り付けた状態にして、前記蒸発促進体９とはいっしょに回動（移動）しないように構成してもよい。
【００２５】
次に、前記シャッター６を上下にスライドさせると共に、前記蒸発促進体９を回動（移動）させるための駆動装置について、一例として示す図４（Ａ）および図４（Ｂ）と、他の例として示す図５とに基づいて順次説明する。
【００２６】
前記シャッター６は、一例として図４（Ａ）および図４（Ｂ）に示すように、その両側が上下に延びるガイド部11によりスライド可能に支持されている。
【００２７】
前記シャッター６を駆動する駆動装置10は、駆動モータ12と、同駆動モータ12に連係され、図に示す矢印のように前記蒸発促進体９を所定の角度だけ往復回動させる回動体13と、同回動体13に一端が連係されて他端が前記シャッター６に連係され、同シャッター６を、図に示す矢印のように前記ガイド部11に沿って上下動させる連係ロッド14とで構成されている。
【００２８】
これにより、単一の駆動モータ12を備えた簡便な構成でなる前記駆動装置10によって、前記シャッター６と前記蒸発促進体９とを駆動させ、且つ連動させることができるようになる。
なお、前記駆動装置10は、前記駆動モータ12を用いない場合、手動によって前記シャッター６をスライドさせると共に、同シャッター６に前記蒸発促進体９を連動させるようにしてもよい。
【００２９】
また、前記シャッター６を駆動する駆動装置10は、他の実施例として図５に示すように、駆動モータ12に連結された駆動歯車15と、同駆動歯車15に連係された第一従動歯車16と、同第一従動歯車16に連係され前記シャッター６に取り付けられたラック17と、前記駆動歯車15に連係され、前記蒸発促進体９を所定の角度だけ往復回動させるようにした第二従動歯車18とで構成されるようにしてもよい。
【００３０】
運転時には、前記駆動歯車15が矢印ａで示すように回転し、同駆動歯車15に連係した前記第一従動歯車16が矢印ｂで示すように回転し、同第一従動歯車16に連係した前記ラック17により前記シャッター６が上方に移動して前記温風吹出口２を開放する。
【００３１】
その際、前記駆動歯車15に連係した前記第二従動歯車18が矢印ｃで示すように回動して、同第二従動歯車18といっしょに、前記加湿水７を充分に吸った前記蒸発促進体９が前記支軸部9aを中心に所定の角度だけ上方に回動して、前記蓋体9cによって前記空気通路の一部を構成できるようになる。
【００３２】
これにより、上述した一実施例の場合と同様に、単一の駆動モータ12を備えた簡便な構成でなる前記駆動装置10によって、前記シャッター６と前記蒸発促進体９とを駆動させ、且つ連動させることができるようになる。
【００３３】
なお、本発明による温風暖房機に湿度センサ（図示せず）を備えることにより、例えば室内が高湿度になっているような場合、前記駆動装置10によって前記シャッター６のみ駆動させるようにして、運転時に、前記蒸発促進体９を前記吹出口２に連なる空気通路に近づけないようにしたり、または停止時に前記蒸発促進体９の蒸発促進部材9dを前記加湿水７に浸さないようにすることで、前記加湿水７の蒸発を促進させないように構成してもよい。
【００３４】
この場合、図示しない湿度センサによって室内が高湿度になっていることを検知した際、前記駆動歯車15に前記第一従動歯車16のみ連係させるように構成する一方、前記第二従動歯車18は前記駆動歯車15に連係させないように構成すればよい。
【００３５】
または、図示しないセンサにより加湿運転中に前記蒸発容器9e内の加湿水７がなくなったことを検知した時、上述したように、前記蒸発促進体９を下方に回動（移動）して前記蒸発容器9e内に加湿水７を流入させたのち、上方に回動（移動）すればよい。
【００３６】
この場合、前記駆動歯車15に前記第二従動歯車18のみ連係させるように構成する一方、前記第一従動歯車16は前記駆動歯車15に連係させないように構成すればよい。
【図面の簡単な説明】
【００３７】
【図１】本発明による温風暖房機の運転時の状態を示す断面図である。
【図２】本発明による温風暖房機の停止時の状態を示す断面図である。
【図３】本発明による温風暖房機の運転時の状態を示す要部斜視図である。
【図４】本発明による温風暖房機の一実施例を示す要部説明図で、（Ａ）は駆動装置の斜視図であり、（Ｂ）は駆動装置の側面図である。
【図５】本発明による温風暖房機の他の実施例を示す要部断面図である。
【符号の説明】
【００３８】
１  吸込口
２  温風吹出口
３  送風ファン
４  熱交換器
５  運転スイッチ
６  シャッター
７  加湿水
８  加湿皿
９  蒸発促進体
9a  支軸部
9b  挿通孔
9b' 穴
9c  蓋体
9d  蒸発促進部材
9e  蒸発容器
10  駆動装置
11  ガイド部
12  駆動モータ
13  回動体
14  連結ロッド
15  駆動歯車
16  第一従動歯車
17  ラック
18  第二従動歯車
【図１】
2006145181.tif 000003
【図２】
2006145181.tif 000004
【図３】
2006145181.tif 000005
【図４】
2006145181.tif 000006
【図５】
2006145181.tif 000007